(57)【特許請求の範囲】
【請求項１】
地域ごとの地図情報と、複数の子局設備ごとの識別情報および位置情報と、を保持する記憶手段と、
所定の地域の地図情報がユーザによって指定された場合、該指定された地域の地図情報を前記記憶手段から読み出して表示する表示手段と、
ユーザから、前記表示された地図情報における基準位置および距離条件が入力された場合、前記入力した基準位置に対して前記距離条件を満足する指定エリアを設定して出力する設定手段と、
前記設定された指定エリアを受け取った場合、前記記憶手段を参照して、前記指定エリア内に位置情報が含まれる前記子局設備に紐付けされている識別情報を抽出して出力する抽出手段と、
前記出力された識別情報を無線送信する送信手段と、
を備える親局設備。
【請求項２】
前記設定手段は、前記基準位置を原点とし、前記距離条件を半径とする領域を、前記指定エリアとして設定する、請求項１記載の親局設備。
【請求項３】
前記設定手段は、前記基準位置を基準線とし、該基準線から前記距離条件だけ離れた領域を、前記指定エリアとして設定する、請求項１記載の親局設備。
【請求項４】
前記送信手段は、ユーザから報知情報が入力された場合、入力された報知情報を外部へ無線送信する、請求項１乃至３のいずれか１項記載の親局設備。
【請求項５】
前記報知情報は防災情報である、請求項４記載の親局設備。
【請求項６】
前記位置情報は、前記子局設備が設置されている場所の緯度・経度である、請求項１乃至５のいずれか１項記載の親局設備。
【請求項７】
ユーザから基準位置および距離条件が入力された場合、指定エリアを設定し、設定した指定エリア内に設置されている子局設備の識別情報を抽出し、抽出した識別情報を外部へ無線送信する請求項１乃至５のいずれか１項記載の親局設備と、
前記識別情報を受信した場合、報知が可能な状態に移行する子局設備と、
を備える同報無線システム。
【請求項８】
前記親局設備は、ユーザから報知情報が入力された場合、入力された報知情報を外部へ無線送信し、
前記子局設備は、報知が可能な状態に移行した後に前記報知情報を受信した場合、該受信した報知情報を報知する、
請求項７記載の同報無線システム。
【請求項９】
前記子局設備は、屋外拡声装置または戸別受信機である、請求項７または８に記載の同報無線システム。
【請求項１０】
地域ごとの地図情報と、複数の子局設備ごとの識別情報および位置情報と、を保持した親局設備を用いた同報無線通信方法であって、
所定の地域の地図情報がユーザによって指定された場合、該指定された地域の地図情報を表示部に表示し、
ユーザから、前記表示部に表示された地図情報における基準位置および距離条件が入力された場合、
前記入力した基準位置に対して前記距離条件を満足する指定エリアを設定し、
前記設定した指定エリア内に位置情報が含まれる前記子局設備を抽出し、
前記抽出した子局設備に紐付けされている前記識別情報を出力し、
前記出力された識別情報を送信する、
同報無線通信方法。
【発明の詳細な説明】
【技術分野】
【０００１】
本発明は、災害発生時に避難警告等を放送する同報無線通信システムに関する。特に、災害発生時に親局から指示されることによって子局から避難警告等を放送する同報無線通信システムに関する。
【背景技術】
【０００２】
災害発生時に、同報無線通信システムを用いて避難警告等を放送する技術が開発されている。該同報無線通信システムの技術は、例えば、特許文献１や特許文献２に開示されている。
【０００３】
特許文献１の同報無線システムは、操作者が呼出相手を一覧表示させて同報宛先として複数の呼出相手を選択することにより、親局設備が選択された呼出相手の呼出ＩＤおよび位置情報を抽出し、該呼出ＩＤおよび位置情報を呼出信号に付加して同報無線電波として子局設備へ送出する。そして、親局設備から呼出信号を受信した子局設備は、該呼出信号に含まれている呼出ＩＤや位置情報に基づいて自機宛の呼出信号か否か判定し、自機宛の呼出信号と判定した場合は、放送音声情報および放送テキスト情報を受信して放送する。
【０００４】
また、特許文献２の同報無線システムは、送信する防災情報および音声データを予め設定されているエリア毎に分別してエリアＩＤを付与し、該付与したエリアＩＤを用いて送信すべき下位中継局を抽出し、分別済みの防災情報及び音声データを送信する。そして、エリア毎に分別された防災情報及び音声データを受信した下位中継局の小局は、自局宛てに送信されたと判定した場合、受信した防災情報および音声データを周囲へ報知する。
【先行技術文献】
【特許文献】
【０００５】
【特許文献１】特開２０１０−２１９９８６号公報
【特許文献２】特開２００９−２２４９５３号公報
【発明の概要】
【発明が解決しようとする課題】
【０００６】
特許文献１の同報無線システムは、ユーザが呼出相手の一覧表示の中から同報宛先とする複数の呼出相手を選択する必要がある。災害発生時に同報宛先を個別に選択して設定する場合、災害発生から報知まで時間がかかる。
【０００７】
また、特許文献２の同報無線システムは、予め設定されているエリアに基づいて、防災情報および音声データを送信する下位中継局を抽出している。しかし、予め設定されているエリアに基づいて下位中継局を抽出する場合、災害発生現場は毎回異なることから、最適な下位中継局を毎回抽出することは困難である。
【０００８】
本発明の目的は、上記課題に鑑み、最適な送信対象の子局設備を容易かつ速やかに抽出することができ、災害発生後、速やかに所望の報知情報を報知することができる親局設備、同報無線システムおよび同報無線通信方法を提供することにある。
【課題を解決するための手段】
【０００９】
上記目的を達成するために本発明に係る親局設備は、複数の子局設備ごとに識別情報および位置情報を保持する記憶手段と、ユーザから基準位置および距離条件が入力された場合、入力した基準位置に対して距離条件を満足する指定エリアを設定して出力する設定手段と、設定された指定エリアを受け取った場合、記憶手段を参照して、指定エリア内に位置情報が含まれる子局設備に紐付けされている識別情報を抽出して出力する抽出手段と、出力された識別情報を無線送信する送信手段と、を備える。
【００１０】
上記目的を達成するために本発明に係る同報無線システムは、ユーザから基準位置および距離条件が入力された場合、指定エリアを設定し、設定した指定エリア内に設置されている子局設備の識別情報を抽出し、抽出した識別情報を外部へ無線送信する上記の親局設備と、識別情報を受信した場合、報知が可能な状態に移行する子局設備と、を備える。
【００１１】
上記目的を達成するために本発明に係る同報無線通信方法は、複数の子局設備ごとに識別情報および位置情報を保持した親局設備を用いた同報無線通信方法であって、ユーザから前記基準位置および距離条件が入力された場合、前記入力した基準位置に対して前記距離条件を満足する指定エリアを設定し、前記設定した指定エリア内に位置情報が含まれる前記子局設備を抽出し、前記抽出した子局設備に紐付けされている前記識別情報を出力し、前記出力された識別情報を送信する。
【発明の効果】
【００１２】
上記構成とすることにより、本発明に係る親局設備、同報無線システムおよび同報無線通信方法は、最適な送信対象の子局設備を容易かつ速やかに抽出することができ、災害発生後、速やかに所望の報知情報を報知することができる。
【図面の簡単な説明】
【００１３】
【図１】本発明の第１の実施形態に係る同報無線システム１０のシステム構成図の一例である。
【図２】本発明の第１の実施形態に係る親局設備２０のブロック構成図の一例である。
【図３】本発明の第２の実施形態に係る同報無線システム１００のシステム構成図の一例である。
【図４】本発明の第２の実施形態に係る同報無線システム１００の動作フロー図の一例である。
【図５】本発明の第３の実施形態において、表示部２１１へ表示された画面の一例である。
【図６】本発明の第４の実施形態において、表示部２１１へ表示された画面の一例である。
【発明を実施するための形態】
【００１４】
（第１の実施形態）
本発明の第１の実施形態に係る同報無線システムについて説明する。図１に、本実施形態に係る同報無線システム１０のシステム構成図の一例を示す。図１において、同報無線システム１０は、親局設備２０および複数の子局設備３０ａ、３０ｂ、、、を備える。
【００１５】
親局設備２０は、ユーザが基準位置および距離条件を入力した時、入力された基準位置に対して距離条件を満足する指定エリアを設定し、設定した指定エリア内に設置されている子局設備の識別情報を抽出し、抽出した識別情報を外部へ無線送信する。また、ユーザが報知したい音源や音声等の報知情報を入力した時、報知情報を外部へ無線送信する。
【００１６】
子局設備３０ａ、３０ｂ、、、はそれぞれ、親局設備２０から識別情報を受信した場合、報知動作が可能な状態に移行する。子局設備３０ａ、３０ｂ、、、はその後、報知情報を受信した場合、受信した報知情報を音声出力等することによって、周囲に報知する。
【００１７】
本実施形態に係る親局設備２０について詳細に説明する。本実施形態に係る親局設備２０のブロック構成図の一例を図２に示す。図２において、親局設備２０は、記憶手段２１、設定手段２２、抽出手段２３および送信手段２４を備える。
【００１８】
記憶手段２１は、複数の子局設備３０ａ、３０ｂ、、、ごとに、識別情報および位置情報を保持している。
【００１９】
設定手段２２は、ユーザが基準位置および距離条件を入力した時、入力された基準位置に対して距離条件を満足するエリアを設定して指定エリアとして抽出手段２３へ出力する。
【００２０】
抽出手段２３は、記憶手段２１を参照することにより、設定手段２２から受け取った指定エリア内に位置情報が含まれる子局設備を送信対象として抽出し、該抽出した子局設備に紐付けされている識別情報を送信手段２４へ出力する。
【００２１】
送信手段２４は、抽出手段２３から識別情報が入力した場合、識別情報を外部へ無線送信する。また、ユーザが報知情報を入力した場合、該入力した報知情報を外部へ無線送信する。
【００２２】
子局設備３０は、親局設備２０から識別情報を無線により受信した場合、報知動作が可能な状態に移行する。子局設備３０はその後、報知情報を受信した場合、受信した報知情報を音声出力することによって、周囲に報知する。
【００２３】
本実施形態に係る同報無線システム１０において、親局設備２０が地図情報を保持していることから、ユーザが基準位置と距離条件とを入力するだけで、親局設備２０は容易に指定エリアを設定することができる。さらに、親局設備２０は、子局設備３０ａ、３０ｂ、、、ごとに識別情報および位置情報を保持していることから、設定した指定エリア内に設置されている子局設備を速やかに抽出し、該抽出した子局設備の識別情報を無線送信する。
【００２４】
この場合、親局設備２０から識別情報を受信した子局設備３０は、報知動作が可能な状態に移行し、親局設備２０からさらに報知情報を受信した場合に該受信した報知情報を速やかに音声出力することができる。
【００２５】
従って、本実施形態に係る同報無線システム１０は、最適な送信対象の子局設備を容易かつ速やかに抽出し、抽出した子局設備の識別情報を無線出力することにより、災害発生後、速やかに報知情報を子局設備から周囲に報知することができる。
【００２６】
（第２の実施形態）
第２の実施形態について説明する。本実施形態に係る同報無線システムのシステム構成図の一例を図３に示す。図３に示すように、本実施形態に係る同報無線システム１００は、親局設備２００および子局設備３００を備える。
【００２７】
親局設備２００は、ユーザが基準位置および距離条件を入力することにより、指定エリアを設定し、該設定した指定エリア内に設置されている子局設備の識別情報を外部へ無線送信し、ユーザが報知したい音源や音声等の報知情報を無線送信する。
【００２８】
一方、親局設備２００から識別情報を受信した子局設備３００は、音声出力可能な状態に移行し、受信した報知情報を地域住民に音声出力にて報知する。
【００２９】
各要素について詳細に説明する。図３において、親局設備２００は、操作卓２１０および無線送受信装置２２０を備え、さらに、操作卓２１０は、表示部２１１、操作部２１２、記憶部２１３および制御部２１４を備える。
【００３０】
操作卓２１０の表示部２１１には、操作卓２１０を操作するユーザが参照する各種情報が表示される。操作部２１２は、ユーザからの各種入力を受け付ける。本実施形態において、操作卓２１０は、ユーザから基準位置や報知情報の入力を受け付ける。
【００３１】
記憶部２１３には、予め、子局設備３００ごとに子局名称３０１、子局ＩＤ３０２および位置情報３０３が登録されている。本実施形態において、記憶部２１３には、位置情報３０３として、子局設備３００が設置されている各位置の緯度および経度が登録されている。
【００３２】
制御部２１４は、ユーザから受け付けた基準位置に対して距離条件を満足するエリアを指定エリアとして設定し、さらに、設定した指定エリア内に設置されている子局設備３００の子局ＩＤ３０２を抽出する。そして、制御部２１４は、抽出した子局ＩＤ３０２を無線送受信装置２２０へ出力する。なお、制御部２１４が、請求項の設定手段と抽出手段の機能を備える。
【００３３】
無線送受信装置２２０は、子局設備３００との間で各種情報を無線によって送受信する。本実施形態において、無線送受信装置２２０は、操作卓２１０から入力された子局ＩＤ３０２や報知情報を外部へ無線送信する。
【００３４】
子局設備３００は、複数の屋外拡声装置３１０ａ、３１０ｂ、、、および複数の戸別受信機３２０ａ、３２０ｂ、、、を備える。屋外拡声装置３１０は、屋外に設置され、親局設備２００から子局ＩＤを受信した場合、音声出力可能な状態に移行する。屋外拡声装置３１０はその後、報知情報を受信した場合、受信した報知情報を拡声器等によって周囲に音声出力する。
【００３５】
戸別受信機３２０ａ、３２０ｂ、、、は、屋内に設置され、親局設備２００から子局ＩＤを受信した場合、音声出力可能な状態に移行する。戸別受信機３２０はその後、報知情報を受信した場合、受信した報知情報をスピーカ等によって音声出力する。
【００３６】
本実施形態に係る同報無線システム１００の動作について説明する。本実施形態に係る同報無線システム１００が、所望の報知情報を所望エリアの周囲住民に報知する場合の動作フローの一例を図４に示す。
【００３７】
図４において、先ず、操作卓２１０のユーザ（以下、操作者と記載する。）は、記憶部２１３に登録されている地域の地図情報を表示部２１１に表示し、表示された地図上の所望の位置を、操作部２１２を用いて指定する。この時、操作卓２１０の制御部２１４は、指定された位置を基準位置として設定する（ステップＳ１０１）。本実施形態において、操作者は、地図上のポイントＸを指定する。なお、操作者は、ポイント（点）を指定する以外に、例えば、所定の線分Ａ−Ｂ（直線でなくても良い。）等を指定することもできる。操作者が所定の線分Ａ−Ｂを指定した場合、制御部２１４は、線状の基準位置（基準線）を設定する。
【００３８】
続いて操作者が距離条件を入力すると、制御部２１４は、基準位置に対して距離条件を満足するエリアを指定エリアとして設定する（ステップＳ１０２）。本実施形態において、操作者が距離条件として「距離Ｙｋｍ以内」を指定することにより、制御部２１４は、指定エリアとして「ポイントＸから半径Ｙｋｍ以内」の円形の指定エリアを設定する。なお、指定エリアは円形に限らず、例えば、線分Ａ−Ｂから等距離にあるエリアを指定エリアとして設定することもできる。
【００３９】
次に、制御部２１４は、記憶部２１３に登録されている子局設備３００の位置情報を参照し、設定した指定エリア内に設置されている子局設備３００を送信対象として抽出し、抽出した子局設備３００（送信対象）の子局ＩＤ３０２を無線送受信装置２２０へ出力する（ステップＳ１０３）。
【００４０】
無線送受信装置２２０は、操作卓２１０から受け取った子局ＩＤ３０２を外部へ無線送信する（ステップＳ１０４）。無線送受信装置２２０はさらに、操作卓２１０にて操作者が音源や音声等の報知情報を入力した場合、該入力した音源や音声等の報知情報を外部へ無線送信する（ステップＳ１０５）。
【００４１】
屋外拡声装置３１０は、親局設備２００から子局ＩＤ３０２を受信した場合（ステップＳ１０６）、音声出力可能な状態に移行する（ステップＳ１０７）。屋外拡声装置３１０はさらに、親局設備２００から報知情報を受信した場合（ステップＳ１０７）、受信した報知情報を拡声器等によって周囲に音声出力する（ステップＳ１０８）。
【００４２】
同様に、親局設備２００から子局ＩＤ３０２を受信した戸別受信機３２０は（ステップＳ１０６）、音声出力可能な状態に移行し（ステップＳ１０７）、その後、報知情報を受信することにより（ステップＳ１０８）、受信した報知情報をスピーカ等によって周囲に音声出力する（ステップＳ１０９）。
【００４３】
以上のように、本実施形態に係る同報無線システム１００は、地図情報および各子局設備３００の位置情報３０３を予め登録しておき、災害発生現場などの基準位置から距離条件に合致する指定エリア内に設置されている子局設備３００のみを抽出することにより、最適な送信対象の子局設備３００を容易かつ速やかに抽出することができる。
【００４４】
また、基準位置からの距離条件に合致する指定エリア内に設置されている全ての子局設備３００が自動的に抽出されるため、幾つかの子局設備３００が送信対象から漏れてしまうことがなく、指定エリア内に確実に所望の報知を行うことが出来る。
【００４５】
ここで、新たに子局設備３００（屋外拡声装置３１０または戸別受信機３２０）を新設した場合、ユーザは、操作卓２１０の操作部２１２を用いて新設された子局設備３００の子局名称３０１、子局ＩＤ３０２および位置情報３０３を直接入力して記憶部２１３に登録することができる。また、子局設備３００にＧＰＳ機能を付加し、新設された子局設備３００と親局設備２００とが無線送受信装置２２０を介して通信することにより、新設された子局設備３００から子局名称３０１、子局ＩＤ３０２、および、ＧＰＳ機能によって取得した位置情報３０３を受信して記憶部２１３に登録することもできる。
【００４６】
（第３の実施形態）
第３の実施形態について説明する。本実施形態では、第２の実施形態で説明した同報無線システム１００を用いて、火災発生現場より半径１ｋｍ以内のエリアにいる地域住民に対して避難警告を伝達する場合について説明する。なお、防災担当者が閲覧している、操作卓２１０の表示部２１１に表示されている画面の一例を図５に示す。
【００４７】
防災担当者は、火災発生現場を含むエリアの地図情報と報知情報リスト一覧とを表示部２１１に表示する。さらに、防災担当者が、図５において、基準位置として火災発生現場を指定し（図５の×印）、距離条件として「半径１ｋｍ以内」を指定する。これにより、制御部２１４は、基準位置（火災発生現場）より半径１ｋｍ以内（図５の○で囲まれたエリア）を指定エリアとして設定し、該指定エリア内に設置されている子局設備３００を第１の送信対象として抽出し、抽出した第１の送信対象の子局ＩＤ３０２を無線送受信装置２２０へ出力する。
【００４８】
続いて、防災担当者が図示しない放送開始ボタンを押下し、無線送受信装置２２０は、送信対象の子局ＩＤを無線送信する。
【００４９】
親局設備２００から子局ＩＤを受信した子局設備３００に対し、放送可となる。
【００５０】
放送可となった後、防災担当者は、操作卓２１０より、火災発生に関する避難警告を伝える内容の音声を入力すると、音声を報知情報として無線送受信装置２２０へ出力する。また、報知情報として予め作成された音源を入力したい場合は、表示部２２１のリストの中から「避難警告」を選択することにより、操作卓２１０の制御部２１４が「避難警告」を報知情報として無線送受信装置２２０へ出力する。
【００５１】
親局設備２００から報知情報を受信した子局設備３００は、報知情報を周囲へ音声出力する。
【００５２】
すなわち、火災発生現場から半径１ｋｍ以内に設置されている屋外拡声装置３１０および戸別受信機３２０は、拡声器やスピーカ等を用いて、地域住民に火災発生に関する避難警告を報知（音声出力）する。
【００５３】
（第４の実施形態）
第４の実施形態について説明する。本実施形態では、第２の実施形態で説明した同報無線システム１００を用いて、火災発生現場より半径１ｋｍ以上２ｋｍ以内のエリアにいる地域住民に対して注意喚起を行う場合について説明する。なお、防災担当者が閲覧している、操作卓２１０の表示部２１１に表示されている画面の一例を図６に示す。
【００５４】
防災担当者は、火災発生現場を含むエリアの地図情報と報知情報リスト一覧とを表示部２１１に表示する。さらに、防災担当者が、基準位置（図６の×印）および、距離条件「半径１ｋｍ以上２ｋｍ以内」を指定する。これにより、制御部２１４は、基準位置より半径１ｋｍ以上２ｋｍ以内（図６の二つ○で挟まれたエリア）を指定エリアとして設定し、該指定エリア内に設置されている子局設備３００を第２の送信対象として抽出し、抽出した第２の送信対象の子局ＩＤ３０２を無線送受信装置２２０へ出力する。
【００５５】
続いて、防災担当者が図示しない放送開始ボタンを押下し、無線送受信装置２２０は、送信対象の子局ＩＤを無線送信する。
【００５６】
親局設備２００から子局ＩＤを受信した子局設備３００は、放送可となる。
【００５７】
放送可となった後、防災担当者は、操作卓２１０より、火災発生に関する注意喚起を伝える内容の音声を入力すると、音声を報知情報として無線送受信装置２２０へ出力する。また、報知情報として予め作成された音源を入力したい場合は、表示部２２１のリストの中から「注意喚起」を選択することにより、操作卓２１０の制御部２１４が「注意喚起」を報知情報として無線送受信装置２２０へ出力する。
【００５８】
親局設備２００から報知情報を受信した子局設備３００は、報知情報を周囲へ音声出力する。
【００５９】
すなわち、火災発生現場から半径１ｋｍ以上２ｋｍ以内に設置されている屋外拡声装置３１０および戸別受信機３２０は、拡声器やスピーカ等を用いて、地域住民に火災発生に関する注意喚起を報知（音声出力）する。
【００６０】
ここで、本実施形態では、火災発生現場から同心円上に設置されている子局設備３００を抽出したが、所定の線分Ａ−Ｂから等距離に設置されている子局設備３００を抽出することもできる。例えば、海岸線に沿って線分Ａ−Ｂを設定し、該線分Ａ−Ｂから陸側１ｋｍ以内に設置されている子局設備３００を抽出して津波警報を出力させたり、川に沿って線分Ａ−Ｂを設定し、該線分Ａ−Ｂの両側５００ｍ以内に設置されている子局設備３００を抽出して避難指示を出力させたりすることもできる。
【符号の説明】
【００６１】
１０    同報無線システム
２０    親局設備
２１    記憶手段
２２    設定手段
２３    抽出手段
２４    送信手段
３０    子局設備
１００    同報無線システム
２００    親局設備
２１０    操作卓
２１１    表示部
２１２    操作部
２１３    記憶部
２１４    制御部
２２０    無線送受信装置
３００    子局設備
３０１    子局名称
３０２    子局ＩＤ
３０３    位置情報
３１０    屋外拡声装置
３２０    戸別受信機
【図１】
0005909917.tif 000002
【図２】
0005909917.tif 000003
【図３】
0005909917.tif 000004
【図４】
0005909917.tif 000005
【図５】
0005909917.tif 000006
【図６】
0005909917.tif 000007